(57)【要約】      （修正有）【課題】ポップアップストロボ、マイク、無線モジュールそれぞれの性能を落とすことなく小スペースに収納することができる撮像装置を提供する。【解決手段】ストロボユニットとマイクユニットと無線モジュール基板を備える撮像装置において、前記ストロボユニット内には、電源を昇圧する電源トランス３０１ｂと無線モジュール基板２１０を有し、前記マイクユニット１０６内にはマイクを有し、前記電源トランスとマイクは、互いに重ならない位置に配置し、前記無線モジュール基板は、撮像装置の光軸に対し斜めに、且つ前記電源トランスとマイクとの間隙に位置し、前記無線モジュール基板のアンテナ部２１０ｂが、前記電源トランスの上に配置することを特徴とする構成とした。【選択図】図５
2014190984.tif 000002
【特許請求の範囲】
【請求項１】
ストロボユニット（１０７）とマイクユニット（１０６）と無線モジュール基板（２１０）を備える撮像装置（１０１）において、
前記ストロボユニット（１０７）内には、電源を昇圧する電源トランス（３０１ｂ）と無線モジュール基板（２１０）を有し、
前記マイクユニット（１０６）内にはマイク（３０９）を有し、
前記電源トランス（３０１ｂ）とマイク（３０９）は、互いに重ならない位置に配置し、
前記無線モジュール基板（２１０）は、撮像装置（１０１）の光軸に対し斜めに、且つ前記電源トランス（３０１ｂ）とマイク（３０９）との間隙に位置し、
前記無線モジュール基板（２１０）のアンテナ部（２１０ｂ）が、前記電源トランス（３０１ｂ）の上に配置することを特徴とした撮像装置。
【発明の詳細な説明】
【技術分野】
【０００１】
本発明は、撮像装置に関し、特に内蔵ストロボと無線モジュールとマイクを搭載した撮像装置に関するものである。
【背景技術】
【０００２】
近年デジタルカメラにおいて、動画時の音声を録音するためのマイクや、暗所における補助光としてのストロボユニットをポップアップするものがある。
【０００３】
さらには、Ｗｉ−Ｆｉなど無線技術の発達により、デジタルカメラにも無線モジュールを搭載するものが増えてきている。
【０００４】
マイクは、マイクの集音穴を手で覆い隠すと集音できず、所望の音を録音できなくなる。
【０００５】
ストロボは、発光部を手で覆い隠すことで、被写体に光が到達せず、光量不足の写真となってしまう。
【０００６】
無線モジュールは、無線モジュールを手で覆い隠すことで、通信速度が遅延または、通信自体ができなくなる可能性がある。
【０００７】
この為、撮影時ユーザーが手で触れにくい場所にマイク、ストロボ、無線モジュールを配置しなければならない。
【０００８】
特許文献１には、ユーザーがカメラ撮影時に手が触れにくいカメラ天面中央部にポップアップストロボとポップアップストロボの動作を妨げないスペースにマイクを配置し、カメラの小型化を可能としている。
【先行技術文献】
【特許文献】
【０００９】
【特許文献１】特開２００５−２０２０９５号公報
【発明の概要】
【発明が解決しようとする課題】
【００１０】
しかしながら、上述の特許文献１に開示された従来技術では、ユーザーが手で触れにくい場所にポップアップストロボとマイクを配置しているが、無線モジュールの配置に関しては触れられていない。無線モジュールは、ユーザーの手だけではなく、無線モジュール周囲の金属部品の配置状態でも性能が左右されるものである。金属部品を含むストロボユニット、マイクユニット近傍に無線モジュールを小スペースで配置することは困難であった。
【００１１】
そこで、本発明の目的は、ポップアップストロボ、マイク、無線モジュールの全ての性能を落とすことなく小スペース内に収納することを可能にした撮像装置を提供することである。
【課題を解決するための手段】
【００１２】
上記目的を達成するために、ストロボユニットとマイクユニットと無線モジュール基板を備える撮像装置において、前記ストロボユニット内には、電源を昇圧する電源トランスと無線モジュール基板を有し、前記マイクユニット内にはマイクを有し、前記電源トランスとマイクは、互いに重ならない位置に配置し、前記無線モジュール基板は、撮像装置の光軸に対し斜めに、且つ前記電源トランスとマイクとの間隙に位置し、前記無線モジュール基板のアンテナ部が、前記電源トランスの上に配置することを特徴とする。
【発明の効果】
【００１３】
本発明によれば、ポップアップストロボ、マイク、無線モジュールの全て性能を落とすことなく小スペース内に収納することを可能にした撮像装置を提供することができる。
【図面の簡単な説明】
【００１４】
【図１】本発明に係るカメラの外観斜視図
【図２】本発明に係るカメラの分解斜視図
【図３】ストロボ基板と無線モジュールとメイン基板の結線展開図
【図４】ストロボユニットとマイクユニットの分解斜視図
【図５】ストロボユニットとマイクユニットの断面図
【発明を実施するための形態】
【００１５】
以下に本発明の実施例について説明する。
【００１６】
［実施例１］
以下、図１〜図５を参照して、本発明の第１の実施例によるカメラについて説明する。
【００１７】
図１は本発明に係るポップアップストロボ、マイク、無線モジュールを搭載したカメラ１０１の外観斜視図である。
【００１８】
カメラ１０１の前面は、前カバーユニット１０２で覆われ、該カメラ１０１の後面は後カバーユニット１０３で覆われている。前カバーユニット１０２の中央部孔内にはレンズ鏡筒ユニット１０４を備える。カメラ１０１の上面には、操作ユニット１０５を備え、撮影操作やモード切り替えなどができる操作部材を備える。また、カメラ１０１の上面内部には、マイクユニット１０６を備え、マイク集音穴１０６ａを２箇所によって、ステレオ録音可能となっている。
【００１９】
図１（ａ）はストロボユニット１０７がポップダウン（格納位置に格納されている）状態である。図１（ｂ）は前記図１（ａ）の状態の背面斜視図である。図１（ｃ）はストロボユニット１０７がポップアップ（露呈位置に突出されている）状態である。図１（ｄ）は前記図１（ｃ）の状態の背面斜視図である。
【００２０】
ストロボユニット１０７に備える突起１０７ａに指を掛け、前記突起１０７ａをカメラ１０１上方に不図示軸中心に回動させることで、図１（ａ）のポップダウン状態から図１（ｃ）のポップアップ状態に遷移する。ストロボユニット１０７をポップアップ状態にすることで、ストロボ発光部１０４が露呈し、被写体に対向し、ストロボ発光撮影可能状態となる。
【００２１】
該ストロボユニット１０７はカメラ１０１上面中央部に位置しているので、通常のカメラ撮影時に撮影者の指が発光部１０４を覆うことなく撮影できる。前記ストロボユニット１０７と同様にマイクユニット１０６もカメラ上面中央部に位置しているので、マイク集音穴１０６ａを塞ぐ可能性が低い。
【００２２】
カメラ１０１には、不図示線無線モジュール（例えば、Ｗｉ−Ｆｉ）も搭載されている。前記カメラ上面中央部のマイクユニット１０６近傍に前記無線モジュールは配置されている。前記無線モジュールは、金属または手が無線モジュールに近づくだけで、該無線モジュールの性能を発揮できなくなるため、極力手が触れにくく、金属から離れた位置に配置するとよい。該無線モジュールの性能とは、伝達距離、伝達速度などである。
【００２３】
さらに、ストロボユニット１０７やマイクユニット１０６内の金属部品の影響を受けるため、それぞれのユニット内の部品の配置が重要である。
【００２４】
本発明は、ストロボユニット１０７、マイクユニット１０６、不図示無線モジュールの性能を損なうことなく小スペースで配置したカメラを提供することであり、詳細を以下に説明する。
【００２５】
図２〜図４を用い、カメラ１０１の前記無線モジュールの配置方法を説明する。
【００２６】
図２は、カメラ１０１の分解斜視図である。
【００２７】
カメラ１０１を構成する部品は、メインシャーシ２０１にビスなどの締結方法で固定されている。電池ボックス２０２は、カメラ１０１を駆動するための電池を挿入でき、電池ボックス内に備える不図示電池コネクターを介して信号処理基板であるところのメイン基板２０３に電力を供給する。表示部材２０４は、メインシャーシ２０１と後カバーユニットとの間隙に位置する。
【００２８】
ストロボユニット１０７はメイン基板２０３とフレキシブル基板２０９で不図示コネクターを介し接続されている。発光部用コンデンサ２０５はストロボユニット内の不図示ストロボ基板とリード線２０７、２０８で接続されている。コンデンサ保持部材２０６は不図示両面接着紙で発光部用コンデンサを固定しており、電池ボックス２０２とビス固定されている。
【００２９】
無線モジュール基板２１０は、ストロボユニット１０７内に不図示のビスで固定されている。無線モジュール基板２１０の取り付け構造など詳細は後述する。
【００３０】
図３はストロボ基板３０１と無線モジュール２１０とメイン基板２０３の結線展開図である。図３（ａ）、（ｂ）は部品の表裏を示した図であり、本図を参照してストロボ関係部品の結線を説明する。ストロボ回路は周知の回路のため、ストロボに関係する各部品の詳細説明は省略する。無線モジュール２１０近傍に、複数のリード線が引き回されていることを示すため、複数の各部品の結線状態のみ説明する。
【００３１】
Ｘｅ管３０２はリード線３０４、３０５でストロボ基板３０１に結線されている。反射笠３０３はトリガーコイル３０６とリード線３０７で結線され、前記トリガーコイル３０６とストロボ基板はリード線３０７、３０８で結線されている。前述の通り、ストロボコンデンサー２０５は、リード線２０７、２０８でストロボ基板３０１と結線されている。ストロボ基板３０１とメイン基板２０３は、フレキシブル基板２０９でコネクター２０３ａとコネクター３０１ａを介して接続されている。フレキシブル基板２０９はメイン基板２０３とストロボ基板３０１だけではなく、メイン基板２０３と無線モジュール基板２１０とをコネクター２１０ａを介し、結線している。
【００３２】
フレキシブル基板２０９の配線図を図３（ｃ）、（ｄ）に示す。図３（ａ）の状態を示すのが、図３（ｃ）、図３（ｂ）の状態を示すのが図３（ｄ）である。フレキシブル基板２０９は、両面フレキ構造で、図３（ａ）側の面は全面ＧＮＤパターン２０９ｃで覆われ、図３（ｂ）側は信号線２０９ａ、２０９ｂが配線されている。前記信号線２０９ａは、ストロボ基板３０１用信号線、前記２０９ｂは、無線モジュール基板２１０用信号線である。
【００３３】
前記信号線２０９ｂは外部からノイズが入ると、無線送受信の性能に支障をきたすため、信号線２０９ｂにノイズが入らないようにする必要がある。そのため、フレキシブル基板２０９において、信号線２０９ｂの反対面を前記ＧＮＤパターン２０９ｃで覆う事により、信号線２０９ｂをノイズからシールドしている。
【００３４】
マイク３０９は、リード線３１０でメイン基板２０３と接続されている。マイクを２個接続することでステレオ録音可能となっている。
【００３５】
無線モジュール２１０は、該無線モジュール基板２１０全体から電波を発するが、ポイント２１０ｂが特に電波の強い点であり、ポイント２１０ｂを中心とした球状に電波を発生する。無線モジュール基板２１０上で最も周囲の部品配置に留意しなければならない箇所である。
【００３６】
前述の通り、無線モジュール基板２１０の周囲には、リード線を含む金属体が複数あるため、ポイント２１０ｂから極力金属体との距離をとり、且つ金属体と常に一定の距離を確保して固定をするかが重要である。
【００３７】
図４〜図５を参照し、無線モジュール基板２１０と近傍の部品の取り付け、配置に関して説明する。
【００３８】
図４は、ストロボユニット１０７とマイクユニット１０６の分解斜視図である。図４（ａ）はストロボユニット１０７の分解斜視図、図４（ｂ）はマイクユニット１０６の分解斜視図である。先ず、ストロボユニット１０７の構成を説明する。
【００３９】
ストロボユニット１０７は、センターケース４０１に部品を組み付けていく。発光部下ケース４０２には前記Ｘｅ管３０２、反射笠３０３などが係止されている。発光部下ケース４０２は、該発光部下ケースに備える穴４０２ａ、４０２ｂを貫通するシャフト４０３を中心に回動可能である。先端にねじ山が加工されているシャフト４０３は、センターケース４０１に備える穴４０１ａ、４０１ｂを貫通し、基板取り付け板金４０４に備えたねじ穴４０４ａ、４０４ｂにビス締結される。
【００４０】
ストロボユニット１０７のポップアップとポップダウンとの、それぞれの状態を保持する手法とし、周知の捩じりコイルばね４０６を使用している。捩じりコイルばね４０６の両端部は環形状に加工されており、該捩じりコイルばね４０６の一端は先端にねじ加工されたシャフト４０５が挿通している。該捩じりコイルばね４０６の他端は発光部下ケース４０２に備える軸４０２ｄが挿通する。シャフト４０５は発光部下ケース４０２に備える穴４０２ｃを貫通し、センターケース４０１に備える穴にねじ締結される。
【００４１】
前記基板取り付け板金４０４には、撮影者側から被写体側斜め上方向に延出する基板接地面４０４ｃを備え、該基板接地面４０４ｃにはねじ穴４０４ｄが加工されている。無線モジュール基板２１０は、ビス４０７で前記基板取り付け板金４０４のねじ穴４０４ｄに締結される。無線モジュール基板２１０の他端は、センターケース４０１に備える前記基板接地面４０４ｃと平行面な接地面４０１ｄと当接する。
【００４２】
上記の通り、前記無線モジュール基板２１０は、前記接地面４０４ｃはビス固定されているが、接地面４０１ｄ側は接地面４０１ｄに無線モジュール基板２１０を係止する手段がないため、該基板２１０先端が接地面４０１ｄに接地しない可能性がある。該基板２１０が片持ち梁状態で固定されることになり、カメラ１０１が振動すると該基板２１０が接地面４０５ｃを支点に振動することとなり、該基板２１０は配線切れ、半田クラックなどを生じてしまう。
【００４３】
そこで、該基板２１０上に、押さえ部材４０８とクッション４０９を配置し、後述するマイクカバー４２０で該基板２１０を接地面４０１ｄ方向に押印し、該基板２１０の振動を抑制する。押さえ部材４０８は、ポイント２１０ｂの近傍を押さえるため、プラスチックなどの絶縁体がよい。クッション４０９も同様に、絶縁体材料が好ましい（図５参照）。
【００４４】
ストロボ基板３０１は、センターケース４０１に不図示ビスで固定する。
【００４５】
図３で説明したとおり、ストロボ基板３０１上には、リード線が６本結線されており、接地面４０４ｃとストロボ基板３０１の間隙に収納されている。収納状態は後述する。
【００４６】
次に、マイクユニット１０６の説明をする。
【００４７】
マイクユニット１０６は、集音穴１０６ａを備えるマイクカバー４２０と、押さえ板４２２で、マイク３０９を組み込んだマイク保持部材４２１を挟持している。押さえ板４２２は、マイクカバー４２０にビス固定することで、マイク保持部材４２１をマイクカバー４２０に押圧し、カメラ１０１の内部からの音をマイク３０９が集音できないようにされている。
【００４８】
図４（ｃ）は、マイクユニット１０７を構成する部品を組み込んだ状態の背面斜視図である。リード線３１０は、マイクカバー４２０に備える複数のガイドリブ４２０ａに案内され、一定位置に収納されている。
【００４９】
マイクユニット１０６は、ストロボユニット１０７の上部を覆う位置に配置し、センターケース４０１の不図示爪と係止する。
【００５０】
上記マイクユニット１０６をストロボユニット１０７に組み込んだ状態の断面図を図５に示す。
【００５１】
前述の通り、無線モジュール基板２１０は、撮影者側から被写体側斜め上方向に傾斜した状態で、接地部４０４ｃに固定されている。該基板２１０下方にはストロボ基板３０１が配置されている。
【００５２】
上記のように該基板２１０を斜めに配置するためには、ストロボ基板３０１上に実装されている電源トランス３０１ｂの位置が重要となる。
【００５３】
該基板２１０の先端部が当接している接地面４０１ｃは、該接地面４０１ｃの下方向に空間を持ち、該空間に前記電源トランス３０１ｂを配置する。該トランス３０１ｂは、ストロボ発光するために電圧を昇圧するものであり、ストロボ回路部品の中では、一番高さを要する。本実施例では、該トランス高さ約４ｍｍに対し、該接地面４０１ｃの下面とストロボ基板３１０までの距離約５ｍｍである。
【００５４】
また、マイク３０９を保持するためにも厚さを必要とし、本実施例では、押さえ板４２２からマイクカバー４２０を含めた総厚は約５ｍｍである。
【００５５】
つまり、ストロボユニット１０７、マイクユニット１０６、無線モジュール基板２１０を小スペース内に収納するためには、前記電源トランス３０１ｂとマイクユニット１０７のマイク保持部を重ねた位置に配置しない方がよい。
【００５６】
電源トランス３０１ｂは極力被写体側に配置し、マイク保持部材４２１は極力撮影者側に配置することで、斜めに無線モジュール基板２１０を配置できる空間ができる。さらに本配置での効果は、無線モジュール基板２１０で最も電波出力が大きいポイント２１０ｂの下方向以外の周囲に金属体を配置していないので、電波特性を損なう事がない。ストロボユニット１０７に必要なリード線も、該基板２１０の下側にすべて配線されているため、電波特性に影響を与えることはない。マイク３０９も該基板２１０のポイント２１０ｂから最も離れた位置に配置しているため、電波特性に影響を与えることはない。マイクリード線３１０も、フレキシブル基板２０９と一定の距離を確保し、安定した位置に配置されているので、電波特性に影響を与えることがない。
【００５７】
上述によれば、ポップアップストロボ、マイク、無線モジュールの全て性能を落とすことなく小スペース内に収納することを可能にした撮像装置を提供することができる。
【００５８】
以上、本発明の好ましい実施形態について説明したが、本発明はこれらの実施形態に限定されず、その要旨の範囲内で種々の変形及び変更が可能である。
【符号の説明】
【００５９】
２１０  無線モジュール基板
２１０ｂ  ポイント
３０１  ストロボ基板
３０１ｂ  電源トランス
４０１  センターケース
４０４  基板取り付け板金
４０４ｃ  基板接地面
【図１】
2014190984.tif 000003
【図２】
2014190984.tif 000004
【図３】
2014190984.tif 000005
【図４】
2014190984.tif 000006
【図５】
2014190984.tif 000007